(57)【要約】【課題】コンテンツの再生待ち時間において有効な情報を出力することができる画像出力装置を提供することである。【解決手段】情報出力装置は、再生手段と、情報出力手段とを備える。再生手段は、コンテンツを再生する。情報出力手段は、前記コンテンツの再生準備中に、前記コンテンツ以外の放送番組に関する情報を出力する。【選択図】図５
2013058942.tif 000002
【特許請求の範囲】
【請求項１】
コンテンツを再生する再生手段と、
前記コンテンツの再生準備中に、前記コンテンツ以外の放送番組に関する情報を出力する情報出力手段と、
を備える情報出力装置。
【請求項２】
前記情報出力手段は、前記放送番組に関する情報として放送番組表を表示するための表示情報を出力する請求項１記載の情報出力装置。
【請求項３】
前記再生手段は、前記コンテンツの再生時間を取得し、
前記情報出力手段は、前記再生時間に応じた前記放送番組表を表示するための前記表示情報を出力する請求項２記載の情報出力装置。
【請求項４】
前記情報出力手段は、現在時刻から前記再生時間の経過時刻までの間に放送される放送番組を含む前記放送番組表を表示するための前記表示情報を出力する請求項３記載の情報出力装置。
【請求項５】
前記情報出力手段は、コンテンツの再生準備中であることを示す案内情報とともに前記放送番組表を表示するための前記表示情報を出力する請求項２乃至４の何れか１項記載の情報出力装置。
【請求項６】
前記放送番組表を介して番組視聴予約を受け付ける受付手段を備える請求項２乃至５の何れか１項記載の情報出力装置。
【請求項７】
前記放送番組表を介して番組記録予約を受け付ける受付手段を備える請求項２乃至６の何れか１項記載の情報出力装置。
【請求項８】
前記情報出力手段は、前記放送番組に関する情報として放送中又は放送予定の推薦番組により構成される推薦番組表を表示するための表示情報を出力する請求項１記載の情報出力装置。
【請求項９】
前記再生手段は、前記コンテンツの再生時間を取得し、
前記情報出力手段は、前記再生時間に応じた前記推薦番組表を表示するための前記表示情報を出力する請求項８記載の情報出力装置。
【請求項１０】
前記情報出力手段は、現在時刻から前記再生時間の経過時刻までの間に放送される推薦番組を含む前記推薦番組表を表示するための前記表示情報を出力する請求項９記載の情報出力装置。
【請求項１１】
前記情報出力手段は、コンテンツの再生準備中であることを示す案内情報とともに前記推薦番組表を表示するための前記表示情報を出力する請求項８乃至１０の何れか１項記載の情報出力装置。
【請求項１２】
前記再生手段は、光ディスクに記録されたコンテンツデータを読み出し、前記コンテンツデータに基づき前記コンテンツを再生する請求項１乃至１１の何れか１項記載の情報出力装置。
【請求項１３】
前記再生手段は、前記コンテンツデータに基づき前記コンテンツの再生時間を取得する請求項３又は８記載の情報出力装置。
【請求項１４】
コンテンツの再生準備中に、前記コンテンツ以外の放送番組に関する情報を出力する情報出力方法。
【発明の詳細な説明】
【技術分野】
【０００１】
本発明の実施形態は、情報出力装置及び情報出力方法に関する。
【背景技術】
【０００２】
近年、デジタルレコーダ及びデジタルＴＶ等のデジタル機器の普及が目覚ましい。デジタル機器は、放送信号を受信し、放送信号に基づき放送番組をハードディスク又は光ディスク等へ記録することができる。さらに、デジタル機器は、光ディスク等のメディアの再生機能も備え、メディアに記録されたコンテンツデータを読み出し、コンテンツデータに基づきコンテンツを再生することができる。
【０００３】
光ディスクからデータを読み出して光ディスクのコンテンツを再生する場合、コンテンツ再生開始までに待ち時間が発生することが知られている。例えば、デジタル機器は、この待ち時間において、ディスクローディング中であることを案内する案内情報を出力（表示）する。或いは、デジタル機器は、この待ち時間において、待ち時間の経過に応じて変化する複数の画像を出力（表示）する。
【先行技術文献】
【特許文献】
【０００４】
【特許文献１】特開２０１０−１３５０２２号公報
【発明の概要】
【発明が解決しようとする課題】
【０００５】
上記コンテンツの再生待ち時間において、より有効な情報提供が要望されている。
【０００６】
本発明が解決しようとする課題は、コンテンツの再生待ち時間において有効な情報を出力することができる画像出力装置及び画像出力方法を提供することである。
【課題を解決するための手段】
【０００７】
実施形態の情報出力装置は、コンテンツを再生する再生手段と、前記コンテンツの再生準備中に、前記コンテンツ以外の放送番組に関する情報を出力する情報出力手段と、を備えている。
【図面の簡単な説明】
【０００８】
【図１】実施形態に係るデジタルテレビジョン放送受信装置により表示される画面（再生待ち時間中に表示される放送番組表）の一例を示す図である。
【図２】実施形態に係るデジタルテレビジョン放送受信装置により表示される画面（再生待ち時間中に表示される推薦番組表）の一例を示す図である。
【図３】実施形態に係るデジタルテレビジョン放送受信装置により表示される画面（再生待ち時間中に表示される録画設定画面）の一例を示す図である。
【図４】実施形態に係るデジタルテレビジョン放送受信装置（情報出力装置）の概略構成の一例を示す図である。
【図５】実施形態に係るデジタルテレビジョン放送受信装置により実行されるディスクコンテンツの再生処理の一例を示すフローチャートである。
【発明を実施するための形態】
【０００９】
図４は、実施形態に係るデジタルテレビジョン放送受信装置（情報出力装置）の概略構成の一例を示す図である。本実施形態では、映像表示部１４を備えた情報出力装置について説明するが、情報出力装置にとって映像表示部１４は必須構成ではない。例えば、情報出力装置がデジタルレコーダの場合には、情報出力装置は映像表示部１４を備えず、ＨＤＭＩケーブル等を介して、外部の映像表示部に対して表示情報を出力する。
【００１０】
図４を参照して、デジタルテレビジョン放送受信装置１００について説明する。図４に示すように、ＢＳ／ＣＳデジタル放送受信用のアンテナ４７で受信した衛星デジタルテレビジョン放送信号は、入力端子４８を介して衛星デジタル放送用のチューナ４９に供給され、チューナ４９は、指定されたチャンネルの放送信号を選択する。
【００１１】
そして、このチューナ４９で選択された放送信号は、ＰＳＫ（phase shift keying）復調モジュール５０に供給されて、デジタルの映像信号及び音声信号に復調された後、信号処理モジュール５１に出力される。
【００１２】
また、地上波放送受信用のアンテナ５２で受信した地上デジタルテレビジョン放送信号は、入力端子５３を介して地上デジタル放送用のチューナ５４に供給され、チューナ５４は、指定されたチャンネルの放送信号を選択する。
【００１３】
そして、このチューナ５４で選択された放送信号は、ＯＦＤＭ（orthogonal frequency division multiplexing）復調モジュール５５に供給されて、デジタルの映像信号及び音声信号に復調された後、上記信号処理モジュール５１に出力される。
【００１４】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調モジュール５７に供給されてアナログの映像信号及び音声信号に復調された後、上記信号処理モジュール５１に出力される。
【００１５】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００１６】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１７】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００１８】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力を組み合わせて出力することができる。
【００１９】
そして、グラフィック処理モジュール５８から出力されたデジタルの映像信号は、映像処理モジュール６２に供給される。映像処理モジュール６２により処理された映像信号は、映像表示部１４に供給され、また出力端子６３にも供給される。映像表示部１４は、映像信号に基づく映像を表示し、出力端子６３に対して外部機器が接続されると、出力端子６３に供給された映像信号は、外部機器へ入力される。
【００２０】
また、上記音声処理モジュール５９は、入力されたデジタルの音声信号を、前記スピーカ１５で再生可能なアナログ音声信号に変換した後、スピーカ１５に出力して音声出力させるとともに、出力端子６４を介して外部に導出させる。
【００２１】
なお、デジタルテレビジョン放送受像装置１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報に基づき、操作内容が反映されるように各モジュールをそれぞれ制御している。
【００２２】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００２３】
また、この制御モジュール６５は、カードＩ／Ｆ（interface）６９を介して、メモリカード１９が装着可能なカードホルダ７０に接続されている。これによって、制御モジュール６５は、カードホルダ７０に装着されたメモリカード１９と、カードＩ／Ｆ６９を介して情報伝送を行なうことができる。
【００２４】
また、上記制御モジュール６５は、通信Ｉ／Ｆ７３を介してＬＡＮ端子２１と接続されている。これにより、制御モジュール６５は、ＬＡＮ端子２１に接続されたＬＡＮケーブル、及び通信Ｉ／Ｆ７３を介して情報を送受信することができる。例えば、制御モジュール６５は、ＬＡＮケーブル及び通信Ｉ／Ｆ７３を介して、サーバから配信されるコンテンツを受信することができる。
【００２５】
さらに、上記制御モジュール６５は、ＨＤＭＩ Ｉ／Ｆ７４を介してＨＤＭＩ端子２２と接続されている。これにより、制御モジュール６５は、ＨＤＭＩ端子２２に接続されたＨＤＭＩ対応機器と、ＨＤＭＩ Ｉ／Ｆ７４を介して情報伝送を行なうことができる。
【００２６】
さらに、上記制御モジュール６５は、ＵＳＢ Ｉ／Ｆ７６を介してＵＳＢ端子２４と接続されている。これにより、制御モジュール６５は、ＵＳＢ端子２４に接続されたＵＳＢ対応機器（デジタルカメラ、デジタルビデオカメラなど）と、ＵＳＢ Ｉ／Ｆ７６を介して情報伝送を行なうことができる。
【００２７】
さらに、上記制御モジュール６５は、不揮発性メモリ６８に記憶された録画予約リストに含まれた録画予約情報を参照し、受信信号に基づくコンテンツの録画動作を制御する。録画先としては、例えば内蔵ＨＤＤ１０１、ＵＳＢ端子２４を介して接続された外付けＨＤＤ、ＨＤＭＩ端子を介して接続されたブルーレイレコーダがある。
【００２８】
さらに、上記制御モジュール６５は、操作部１６からの操作情報（光ディスクの再生指示）、または、前記リモートコントローラ１７から送出され受光部１８を介して受信した操作情報（光ディスクの再生指示）に基づき、光ディスクドライブ１０２に対して光ディスクの再生を指示する。これに対応して、光ディスクドライブ１０２は、光ディスクからデータを読み出す。
【００２９】
さらに、上記制御モジュール６５は、明るさセンサー７１からの明るさ検出レベルに基づき、映像表示部１４のバックライトの明るさを制御する。また、上記制御モジュール６５は、カメラ７２からの動画情報に基づき、映像表示部１４の対向位置のユーザ有無を判定し、映像表示部１４の映像をオン／オフ制御する。
【００３０】
さらに、上記制御モジュール６５は、情報出力制御モジュール１０３を備える。情報出力制御モジュール１０３は、コンテンツの再生準備中に、このコンテンツ以外の放送番組に関する情報の出力を制御する。この情報出力制御については後に詳しく説明する。
【００３１】
次に、デジタルテレビジョン放送受像装置１００（情報出力制御モジュール１０３）による情報出力制御の一例について説明する。
【００３２】
例えば、ユーザは、操作部１６又はリモートコントローラ１７を介して、光ディスクの再生を指示することができる。制御モジュール６５は、操作部１６からの光ディスクの再生指示又はリモートコントローラ１７からの光ディスクの再生指示に基づき、光ディスクドライブ１０２に対して光ディスクの再生を指示する。これに対応して、光ディスクドライブ１０２は、光ディスクに記録されたコンテンツデータを読み出し、信号処理モジュール５１は、コンテンツデータに基づきコンテンツの再生を開始する。実際には、光ディスクの再生指示に対応して、光ディスクのローディングが開始され、管理データ等のローディングが完了した後、コンテンツの再生が開始される。つまり、光ディスクの再生指示後に、再生準備期間（再生待ち時間）が発生し、その後に、光ディスクのコンテンツの再生が開始される。
【００３３】
そこで、情報出力制御モジュール１０３は、光ディスクの再生指示に対応して（再生準備の開始に対応して）、光ディスクのコンテンツ以外の放送番組に関する情報の出力を指示し、再生準備の完了に対応して、放送番組に関する情報の出力の停止を指示し、光ディスクのコンテンツの出力を指示する。
【００３４】
例えば、情報出力制御モジュール１０３は、コンテンツの再生準備中であることを示す案内情報とともに、放送番組に関する情報として放送番組表を表示するための表示情報の出力を指示する。放送番組表は、チューナ４９又は５４を介して取得された電子番組ガイド情報に基づき生成される。或いは、通信Ｉ／Ｆ７３を介して取得された電子番組ガイド情報に基づき生成される。
【００３５】
上記出力指示に対応して、映像処理モジュール６２は、コンテンツの再生準備中であることを示す案内情報とともに、放送番組に関する情報として放送番組表（例えば現在時刻から２時間分の放送番組表）を表示するための表示情報を出力する。これにより、例えば、図１に示すように、映像表示部１４は、画面上部に、コンテンツの再生準備中であることを示す案内情報（ローディング中）とともに、画面下部に、放送番組に関する情報として放送番組表を表示する。
【００３６】
また、光ディスクのコンテンツデータの読み取りが進み（ローディングが進み）、制御モジュール６５が、光ディスクのコンテンツの再生時間情報を取得した場合には、情報出力制御モジュール１０３は、光ディスクのコンテンツの再生時間（例えば９０分）に応じた放送番組表の表示を指示する。これに対応して、映像処理モジュール６２は、コンテンツの再生準備中であることを示す案内情報とともに、光ディスクのコンテンツの再生時間（例えば９０分）に応じた放送番組表を表示するための表示情報を出力する。これにより、例えば、映像表示部１４は、コンテンツの再生準備中であることを示す案内情報（ローディング中）とともに、現在時刻からコンテンツの再生時間の経過時刻（９０分後）までの間に放送される番組を含む放送番組表を表示する。例えば、映像表示部１４は、チャンネルを横軸とし時間を縦軸としたマトリクス状の放送番組表を表示する。
【００３７】
また、情報出力制御モジュール１０３は、光ディスクのコンテンツの再生準備の完了に対応して、上記放送番組表の表示情報の出力の停止を指示し、替りに、光ディスクのコンテンツの出力を指示する。これに対応して、映像処理モジュール６２は、光ディスクのコンテンツに対応する映像を出力する。これにより、映像表示部１４は、光ディスクのコンテンツに対応する映像を表示する。
【００３８】
また、ユーザは、操作部１６又はリモートコントローラ１７を介して、上記放送番組表から、番組の視聴予約又は録画予約を指定することができる。例えば、ユーザは、操作部１６又はリモートコントローラ１７を介して、上記放送番組表から、１番組を選択することができる。これに対応して、例えば図３に示すような録画設定画面が表示される。ユーザは、操作部１６又はリモートコントローラ１７を介して、録画設定画面から、番組の視聴予約又は録画予約を指定することができる。
【００３９】
制御モジュール６５は、指定された番組の視聴予約又は録画予約を受け付け、不揮発性メモリ６８に対して、番組の視聴予約又は録画予約を設定する。さらに、制御モジュール６５は、番組の視聴予約に基づき、番組の放送開始前（例えば番組の放送開始の３０秒前）にこの番組のチャンネルの選択を指示し、この番組の再生を開始し、この番組を出力（表示）する。又は、制御モジュール６５は、番組の録画予約に基づき、番組の放送開始前（例えば番組の放送開始の３０秒前）にこの番組のチャンネルの選択を指示し、この番組の録画を開始する。番組は、録画設定画面で指定された録画先（例えば内蔵ＨＤＤ１０１）に記録される。
【００４０】
或いは、上記した放送番組表に替えて、情報出力制御モジュール１０３は、コンテンツの再生準備中であることを示す案内情報とともに、放送番組に関する情報として放送中又は放送予定の推薦番組表を表示するための表示情報の出力を指示する。制御モジュール６５は、視聴履歴及び録画履歴を不揮発性メモリ６８に蓄積し、視聴履歴及び録画履歴に基づきユーザの嗜好性を判定する。例えば、制御モジュール６５は、視聴履歴及び録画履歴に基づきスポーツのジャンルの視聴又は録画が多いと判定すると、この判定に基づき推薦番組としてスポーツのジャンルを指定する。この指定に対応して、情報出力制御モジュール１０３は、放送番組表からスポーツのジャンルの推薦番組を抜き出して、推薦番組情報により構成される推薦番組表を生成し、放送中又は放送予定の推薦番組表を表示するための表示情報の出力を指示する。
【００４１】
上記出力指示に対応して、映像処理モジュール６２は、コンテンツの再生準備中であることを示す案内情報とともに、放送番組に関する情報として、放送中又は放送予定の推薦番組表（例えば現在時刻から２時間分の放送番組表から抜き出された推薦番組により構成される推薦番組表）を表示するための表示情報を出力する。これにより、例えば、図２に示すように、映像表示部１４は、画面上部に、コンテンツの再生準備中であることを示す案内情報（ローディング中）とともに、画面下部に、放送番組に関する情報として推薦番組表を表示する。例えば、映像表示部１４は、放送開始時刻の順に並べた推薦番組により構成される推薦番組表を表示する。さらに、映像表示部１４は、お薦め番組を提供している旨の案内情報（おすすめ番組情報提供サービス）を表示することもできる。
【００４２】
また、光ディスクのコンテンツデータの読み取りが進み（ローディングが進み）、制御モジュール６５が、光ディスクのコンテンツの再生時間情報を取得した場合には、情報出力制御モジュール１０３は、光ディスクのコンテンツの再生時間（例えば９０分）に応じた推薦番組表の表示を指示する。これに対応して、映像処理モジュール６２は、コンテンツの再生準備中であることを示す案内情報とともに、光ディスクのコンテンツの再生時間（例えば９０分）に応じた推薦番組表を表示するための表示情報を出力する。これにより、例えば、映像表示部１４は、コンテンツの再生準備中であることを示す案内情報（ローディング中）とともに、現在時刻からコンテンツの再生時間の経過時刻（９０分後）までの間に放送される推薦番組を含む推薦番組表を表示する。
【００４３】
また、情報出力制御モジュール１０３は、光ディスクのコンテンツの再生準備の完了に対応して、上記推薦番組表の表示情報の出力の停止を指示し、替りに、光ディスクのコンテンツの出力を指示する。これに対応して、映像処理モジュール６２は、光ディスクのコンテンツに対応する映像を出力する。これにより、映像表示部１４は、光ディスクのコンテンツに対応する映像を表示する。
【００４４】
また、ユーザは、操作部１６又はリモートコントローラ１７を介して、上記推薦番組表から、番組の視聴予約又は録画予約を指定することができる。制御モジュール６５は、指定された番組の視聴予約又は録画予約を受け付け、不揮発性メモリ６８に対して、番組の視聴予約又は録画予約を設定する。さらに、制御モジュール６５は、番組の視聴予約に基づき、番組の放送開始前（例えば番組の放送開始の３０秒前）にこの番組のチャンネルの選択を指示し、この番組の再生を開始し、この番組を出力（表示）する。又は、制御モジュール６５は、番組の録画予約に基づき、番組の放送開始前（例えば番組の放送開始の３０秒前）にこの番組のチャンネルの選択を指示し、この番組の録画を開始する。番組は、録画設定画面で指定された録画先（例えば内蔵ＨＤＤ１０１）に記録される。
【００４５】
次に、図５を参照して、ディスクコンテンツの再生処理の一例について説明する。
【００４６】
制御モジュール６５は、ディスクのローディングを行うための動作を判定する。例えば、制御モジュール６５は、ディスク挿入の有無を検出し（ＳＴ０１）、ディスク挿入検出状態で放送波に対応する番組の出力中におけるディスク再生モードへの移行の有無について検出し（ＳＴ０２）、また、再生ボタンの押下の有無について検出する（ＳＴ０３）。
【００４７】
ディスク挿入有り（ＳＴ０１、ＹＥＳ）、又はディスク再生モードへの移行有り（ＳＴ０２、ＹＥＳ）、又は再生ボタンの押下有り（ＳＴ０３、ＹＥＳ）に応じて、光ディスクドライブ１０２は、ディスクのローディングを開始する（ＳＴ０４）。
【００４８】
情報出力制御モジュール１０３は、ディスクローディング中に放送番組表を表示する第１の表示設定に基づき（ＳＴ０５、ＹＥＳ）、放送番組表の出力を指示し、これに対応して、映像表示部１４は、放送番組表を表示する（ＳＴ０６、ＮＯ）（ＳＴ０７）。ディスクのデータの読み取りが進み（ローディングが進み）、制御モジュール６５が、光ディスクのコンテンツの再生時間情報を取得した場合には（ＳＴ０６、ＹＥＳ）、情報出力制御モジュール１０３は、ディスクのコンテンツの再生時間に応じた放送番組表の表示を指示する。これに対応して、映像表示部１４は、ディスクのコンテンツの再生時間に応じた放送番組表を表示する（ＳＴ０８）。
【００４９】
ユーザは、操作部１６又はリモートコントローラ１７を介して、上記放送番組表から、番組の視聴予約を指定することができる（ＳＴ０９、ＹＥＳ）（ＳＴ１０）。また、ユーザは、操作部１６又はリモートコントローラ１７を介して、上記放送番組表から、番組の録画予約を指定することもできる（ＳＴ１１、ＹＥＳ）（ＳＴ１２）。
【００５０】
視聴予約又は録画予約が完了し、ディスク再生準備が整うと、信号処理モジュール５１は、光ディスクから読み出されたコンテンツデータに基づき、コンテンツの再生を開始する（ＳＴ１３）。
【００５１】
或いは、情報出力制御モジュール１０３は、ディスクローディング中に推薦番組表を表示する第２の表示設定に基づき（ＳＴ０５、ＮＯ）、推薦番組表の出力を指示し、これに対応して、映像表示部１４は、推薦番組表を表示する（ＳＴ１４、ＮＯ）（ＳＴ１５）。ディスクのデータの読み取りが進み（ローディングが進み）、制御モジュール６５が、光ディスクのコンテンツの再生時間情報を取得した場合には（ＳＴ１４、ＹＥＳ）、情報出力制御モジュール１０３は、ディスクのコンテンツの再生時間に応じた推薦番組表の表示を指示する。これに対応して、映像表示部１４は、ディスクのコンテンツの再生時間に応じた推薦番組表を表示する（ＳＴ１６）。
【００５２】
ユーザは、操作部１６又はリモートコントローラ１７を介して、上記推薦番組表から、番組の視聴予約を指定することができる（ＳＴ０９、ＹＥＳ）（ＳＴ１０）。また、ユーザは、操作部１６又はリモートコントローラ１７を介して、上記推薦番組表から、番組の録画予約を指定することもできる（ＳＴ１１、ＹＥＳ）（ＳＴ１２）。
【００５３】
視聴予約又は録画予約が完了し、ディスク再生準備が整うと、信号処理モジュール５１は、光ディスクから読み出されたコンテンツデータに基づき、コンテンツの再生を開始する（ＳＴ１３）。
【００５４】
なお、本実施形態では、デジタルテレビジョン放送受信装置が、ディスクのローディング中（再生準備中）に、放送番組表又は推薦番組表を出力したり、これら放送番組表又は推薦番組表を介して視聴予約又は録画予約したりするケースについて説明したが、本実施形態のデジタルテレビジョン放送受信装置は、ディスク以外の各種メディアのローディング中（再生準備中）にも、放送番組表又は推薦番組表を出力したり、これら放送番組表又は推薦番組表を介して視聴予約又は録画予約したりすることもできる。ディスク以外の各種メディアとは、例えば、ＳＤメモリカード、ＵＳＢメモリ等のフラッシュメモリである。また、本実施形態のデジタルテレビジョン放送受信装置は、ＬＡＮ経由でコンテンツを再生する際のローディング中（再生準備中）に、放送番組表又は推薦番組表を出力したり、これら放送番組表又は推薦番組表を介して視聴予約又は録画予約したりすることもできる。また、本実施形態のデジタルテレビジョン放送受信装置は、ＬＡＮ経由でソフトウェア等をダウンロードする際の待ち時間中に、放送番組表又は推薦番組表を出力したり、これら視聴予約又は録画予約したりすることもできる。他にも、本実施形態のデジタルテレビジョン放送受信装置は、ＨＤＭＩ端子２２等を介して接続されたブルーレイプレイヤーで処理されるブルーレイのBD-JAVA（登録商標）などのインタラクティブ機能起動時（準備中）に、放送番組表又は推薦番組表を出力することもできるし、放送番組表又は推薦番組表を介して視聴予約又は録画予約することもできる。
【００５５】
以下、本実施形態の作用効果等についてまとめる。
【００５６】
一般的に、光ディスク再生装置や、光ディスク再生装置を搭載したテレビにおいて、再生を開始する前に必ず光ディスクをロードする時間（再生準備時間）が必要になる。また、BD-JAVAを始めとしたインタラクティブ機能に対応したディスクを再生させるには、その読み込み時間も必要となり、映像再生開始までユーザを待たせることになる。一方で、光ディスクのコンテンツを見ている間、バックグラウンドで放送されている番組のうち録画予約していなかった番組は見逃してしまう可能性がある。
【００５７】
光ディスクが挿入され、ディスクが挿入された状態でテレビの放送波受信状態から光ディスクを視聴するモードに移行した場合、視聴モードでリモートコントローラや本体の操作部の再生ボタンが押下された場合、本実施形態のデジタルテレビジョン放送受信装置（情報出力装置）は、ディスクのローディング表示を行いながら、放送番組表又は推薦番組表を表示する。
【００５８】
また、光ディスクのローディングが進み、本実施形態のデジタルテレビジョン放送受信装置（情報出力装置）が、光ディスクの再生時間を取得した場合、再生時間に対応した放送番組表又は推薦番組表を表示することもできる。
【００５９】
以上により、光ディスクを視聴している間に放送された番組を見逃すことがなくなるだけでなく、本実施形態のデジタルテレビジョン放送受信装置（情報出力装置）が、内蔵ハードディスクや外付けハードディスク、その他の記録媒体へ録画する機能を持つ場合は、放送番組表又は推薦番組表から録画予約を行うことができ、またHDMI連動機能搭載のブルーレイレコーダなどへ録画の設定を送ることができる。
【００６０】
なお、上記したモジュールとは、ハードウェアで実現するものであっても良いし、ＣＰＵ等を使ってソフトウェアで実現するものであってもよい。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６２】
１…デジタルテレビジョン放送受信装置、１４…映像表示部、１５…スピーカ、１６…操作部、１７…リモートコントローラ、１８…受光部、１９…メモリカード、２１…ＬＡＮ端子、２２…ＨＤＭＩ端子、２４…ＵＳＢ端子、４７…アンテナ、４８…入力端子、４９…チューナ、５０…ＰＳＫ復調モジュール、５１…信号処理モジュール、５２…アンテナ、５３…入力端子、５４…チューナ、５５…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６５…制御モジュール、６６…ＲＯＭ、６７…ＲＡＭ、６８…不揮発性メモリ、６９…カードＩ／Ｆ、７０…カードホルダ、７３…通信Ｉ／Ｆ、７４…ＨＤＭＩＩ／Ｆ、７６…ＵＳＢＩ／Ｆ、１０１…内蔵ＨＤＤ、１０２…光ディスクドライブ、１０３…情報出力制御モジュール
【図１】
2013058942.tif 000003
【図２】
2013058942.tif 000004
【図３】
2013058942.tif 000005
【図４】
2013058942.tif 000006
【図５】
2013058942.tif 000007